(57)【特許請求の範囲】
【請求項１】
異なる波長のレーザー光を出射する複数の発光素子を有する光学ピックアップと、該光学ピックアップを移動自在に支持するベースシャーシと、光学ピックアップの複数の発光素子に各別に電源を供給するための所定の配線パターンが形成された回路基板とを備えた光学ピックアップユニットであって、
上記回路基板に、光学ピックアップの複数の発光素子の各電源供給端子が接続された配線パターンに各別に連続する複数の電源側ショートランドと、発光素子の接地端子が接続された配線パターンに連続するグランド側ショートランドとを設け、
上記複数の電源側ショートランドと接地側ショートランドとを近接させ、且つ、周方向に離間させて配置した
ことを特徴とする光学ピックアップユニット。
【請求項２】
ディスク状記録媒体が装着されて回転されるディスクテーブルと、該ディスクテーブルに装着されたディスク状記録媒体の半径方向へ移動すると共に異なる波長のレーザー光をディスク状記録媒体へ向けて出射する複数の発光素子を有する光学ピックアップと、該光学ピックアップを移動自在に支持するベースシャーシと、光学ピックアップの複数の発光素子に各別に電源を供給するための所定の配線パターンが形成された回路基板とを備えたディスクドライブ装置であって、
上記回路基板に、光学ピックアップの複数の発光素子の各電源供給端子が接続された配線パターンに各別に連続する複数の電源側ショートランドと、発光素子の接地端子が接続された配線パターンに連続するグランド側ショートランドとを設け、
上記複数の電源側ショートランドと接地側ショートランドとを近接させ、且つ、周方向に離間させて配置した
ことを特徴とするディスクドライブ装置。
【発明の詳細な説明】
【０００１】
【発明の属する技術分野】
本発明は光学ピックアップユニット及びディスクドライブ装置についての技術分野に関する。詳しくは、異なる波長のレーザー光を出射する複数の発光素子を有する光学ピックアップユニット及びこれを備えたディスクドライブ装置についての技術分野に関する。
【０００２】
【従来の技術】
ディスク状記録媒体に対する情報信号の記録や再生を行うディスクドライブ装置があり、このようなディスクドライブ装置には、ベースシャーシと該ベースシャーシに移動自在に支持された光学ピックアップとを有する光学ピックアップユニットを備えているものがある。
【０００３】
ディスクドライブ装置にあっては、光学ピックアップユニットをディスクドライブ装置のユニット取付部に取り付け装置本体側との電気的な接続を行う前の状態において、発光素子（レーザーダイオード）の電源供給端子と接地端子との間に静電気によって極めて短い時間内に高電圧（サージ電圧）が印加されると、所謂静電破壊を生じるおそれがある。そこで、この静電破壊を防止するために、光学ピックアップに接続され所定の配線パターンが形成された回路基板に、発光素子の電源供給端子が接続された配線パターンに連続された電源側ショートランドと、発光素子の接地端子が接続された配線パターンに連続された接地側ショートランドとを設け、電源側ショートランドと接地側ショートランドとを、例えば、半田により短絡させている。
【０００４】
ディスクドライブ装置の種類によっては、異なる波長のレーザー光が照射されて種類の異なるディスク状記録媒体、例えば、ＤＶＤ（Digital Versatile Disc）とＣＤ（Compact Disc）とについての再生等を行うことができるものがあり、このようなディスクドライブ装置の光学ピックアップには各ディスク状記録媒体に向けてレーザー光を出射する複数の発光素子が設けられている。
【０００５】
このようなディスクドライブ装置にあっては、各発光素子に対応した数の電源供給端子が設けられており、各電源供給端子が接続された各配線パターンごとに電源側ショートランドを設けると共に各電源側ショートランドに近接する位置にそれぞれ接地側ショートランドを設けることにより、各電源側ショートランドとこれに近接して位置する各接地側ショートランドとをそれぞれ半田等によって短絡させている。
【０００６】
光学ピックアップユニットがディスクドライブ装置のユニット取付部に取り付けられ装置本体側と電気的に接続されると、装置本体に設けられた駆動制御回路を介して発光素子の各電源供給端子と接地端子とがクローズされるため、各発光素子が静電破壊を生じることはない。
【０００７】
従って、上記のように、光学ピックアップユニットがディスクドライブ装置のユニット取付部に取り付けられる前の状態においては、各電源側ショートランドと各接地側ショートランドとを半田等により短絡しておき、光学ピックアップユニットをディスクドライブ装置のユニット取付部に取り付け装置本体側との電気的な接続を行った後に、各電源側ショートランドと各接地側ショートランドとを接続するそれぞれの半田を半田ゴテ等の治具によって取り外すようにしている。
【０００８】
【発明が解決しようとする課題】
ところが、上記した従来のディスクドライブ装置にあっては、各発光素子ごとに設けられた各電源側ショートランドに対応させて接地側ショートランドを複数設け、各電源側ショートランドと各接地側ショートランドとをそれぞれ半田により短絡しているため、半田ゴテによる半田の取外作業を発光素子の数と同じだけ繰り返し行わなければならず、非常に手間がかかり作業性が悪いという問題がある。
【０００９】
また、取外作業の際に誤って半田ゴテを光学ピックアップユニットの一部に接触させてしまうおそれもあり、取外作業の回数が多くなればその確率も高くなってしまう。
【００１０】
そこで、本発明光学ピックアップユニット及びディスクドライブ装置は、上記した問題点を克服し、光学ピックアップユニットの装置本体への組付作業における作業性の向上を図ることを課題とする。
【００１１】
【課題を解決するための手段】
本発明光学ピックアップユニット及びディスクドライブ装置は、上記した課題を解決するために、光学ピックアップの複数の発光素子に各別に電源を供給するための所定の配線パターンが形成された回路基板に、光学ピックアップの複数の発光素子の各電源供給端子が接続された配線パターンに各別に連続する複数の電源側ショートランドと、発光素子の接地端子が接続された配線パターンに連続するグランド側ショートランドとを設け、複数の電源側ショートランドと接地側ショートランドとを近接させ、且つ、周方向に離間させて配置したものである。
【００１２】
従って、本発明光学ピックアップユニット及びディスクドライブ装置にあっては、全てのショートランド間の接続の解除のために、複数回の作業を必要としない。
【００１３】
【発明の実施の形態】
以下に、本発明光学ピックアップユニット及びディスクドライブ装置の基本的構成例と実施の形態を添付図面を参照して説明する。尚、以下に示すディスクドライブ装置は、ディスク状記録媒体として種類の異なる第１のディスク状記録媒体であるＤＶＤ（Digital Versatile Disc）と第２のディスク状記録媒体であるＣＤ（CompactDisc）を用いることのできる装置である。
【００１４】
ディスクドライブ装置１は、外筐２内に所要の各部材及び各機構が配置されて成り、外筐２はカバー体３と前面パネル４とから成る（図１参照）。カバー体３は天面部３ａと該天面部３ａの両側縁からそれぞれ垂設された側面部３ｂ、３ｂが一体に形成されて成る。
【００１５】
前面パネル４には横長の開口４ａが形成され、前面パネル４に開口４ａを開閉する扉体５がその上端部を支点として回動自在に支持されている（図１参照）。前面パネル４には、左右に離間して再生用釦、記録用釦、停止用釦、トレー動作用釦等の各種の操作釦６、６、・・・が配置されている。
【００１６】
外筐２内にはメカフレーム７が配置されている（図２参照）。メカフレーム７は各種の機構が配置される機構配置面部７ａと該機構配置面部７ａの両側縁から立設された側部７ｂ、７ｂとを有し、機構配置面部７ａの前端部にカム板や各種のギヤを有するローディング機構８が配置されている。
【００１７】
メカフレーム７にはディスクトレー９が前後方向へ移動自在に支持されている（図２及び図３参照）。ディスクトレー９には縦長の挿入孔９ａとＤＶＤ１００又はＣＤ２００が載置されるディスク載置凹部９ｂとが形成されている。
【００１８】
メカフレーム７には側部７ｂ、７ｂ間に架け渡されるようにしてプーリー支持部材１０が取り付けられている（図３参照）。プーリー支持部材１０の中央部には、図示しない磁性金属板を有するチャッキングプーリー１１が回転自在かつ軸方向に移動自在に支持されている。
【００１９】
メカフレーム７の機構配置面部７ａには、ベース部材１２がその後端部を支点として回動自在に支持されており、該ベース部材１２上に図示しない複数のダンパー部材を介して光学ピックアップユニット１３が取り付けられている（図２参照）。
【００２０】
光学ピックアップユニット１３は、ベースシャーシ１４にスピンドルモーター１５が取り付けられると共に光学ピックアップ１６が移動自在に支持されて成る（図４乃至図７参照）。
【００２１】
ベースシャーシ１４はモーター取付部１７とピックアップ支持部１８とが一体に形成されて成り、該ピックアップ支持部１８には大きな配置孔１８ａが形成されている。ベースシャーシ１４の周縁には取付突部１４ａ、１４ａ、１４ａが設けられており、該取付突部１４ａ、１４ａ、１４ａがダンパー部材を介してベース部材１２に取り付けられる。
【００２２】
モーター取付部１７にはスピンドルモーター１５が取り付けられ、モーター取付部１７から上方へ突出されたスピンドルモーター１５のモーター軸にディスクテーブル１９が固定されている。
【００２３】
ピックアップ支持部１８には、ディスクテーブル１９に離接する方向、即ち、ディスクテーブル１９に装着されるＤＶＤ１００又はＣＤ２００の半径方向へ光学ピックアップ１６が移動自在に支持されている。光学ピックアップ１６は、移動ベース２０と所要の光学素子と移動ベース２０上に支持された２軸アクチュエーター２１とを有し、該２軸アクチュエーター２１には対物レンズ２２が設けられている。
【００２４】
ＤＶＤ１００についての光学ピックアップ１６に設けられた所要の光学要素としては、集積光学素子２３、第１のビームスプリッター２４、コリメーターレンズ２５、立ち上げミラー２６及び上記２軸アクチュエーター２１ａ等である（図８及び図９参照）。集積光学素子２０は、第１の発光素子（レーザーダイオード）２３ａと第１の受光素子（フォトダイオード）２３ｂとホログラム素子２３ｃとが一体的に設けられて成る。
【００２５】
ＣＤ２００についての光学ピックアップ１６に設けられた所要の光学要素としては、第２の発光素子（レーザーダイオード）２７、カップリングレンズ２８、第２のビームスプリッター２９、第１のビームスプリッター２４、コリメーターレンズ２５、立ち上げミラー２６、対物レンズ２２、調整レンズ３０及び第２の受光素子（フォトダイオード）３１等である（図８及び図１０参照）。
【００２６】
ベースシャーシ１４の下面側には、一方の側縁側にガイド軸３２が取り付けられ、他方の側縁側にリードスクリュー３３がその軸回り方向に回転自在に支持されている（図７参照）。ガイド軸３２には、光学ピックアップ１６の移動ベース２０の一端部が摺動自在に支持され、リードスクリュー３３には移動ベース２０の他端部に設けられたナット部材２０ａが螺合されている。
【００２７】
リードスクリュー３３は、ベースシャーシ１４に取り付けられた送りモーター３４によって回転され、リードスクリュー３３が回転されると、その回転方向に応じた方向へナット部材２０ａが送られ光学ピックアップ１６がガイド軸３２に案内されてＤＶＤ１００又はＣＤ２００の半径方向へ移動される。
【００２８】
このように光学ピックアップ１６がベースシャーシ１４に支持された状態においては、２軸アクチュエーター２１がベースシャーシ１４の配置孔１８ａから上方へ突出されている（図６参照）。
【００２９】
ベースシャーシ１４の下面には、モーター用回路基板３５が取り付けられ、該モーター用回路基板３５の一部がスピンドルモーター１５及び送りモーター３４に接続されている。モーター用回路基板３５の上面には、コネクター３５ａが配置され、該コネクター３５ａに接続された第１の接続用基板３６を介してディスクドライブ装置１の装置本体に設けられた駆動制御回路３７に接続されている（図４参照）。
【００３０】
光学ピックアップ１６の移動ベース２０の下面には、第１の発光素子２３ａ、第２の発光素子２７、２軸アクチュエーター２１等への電源供給等を行うためのフレキシブルプリント配線板３８の一端部３８ａが取り付けられている。
【００３１】
ベースシャーシ１４の下面には中継基板３９が取り付けられており、該中継基板３９の一部がベースシャーシ１４から側方へ突出されている（図４乃至図７参照）。中継基板３９は、例えば、ガラス繊維含有のエポキシ樹脂材料により形成された硬質の板状を為す基板である。
【００３２】
中継基板３９の上下両面にはそれぞれ所定の配線パターン３９ａ、３９ａ、・・・が形成されており（図１１参照）、上面に形成された配線パターン３９ａ、３９ａ、・・・と下面に形成された配線パターン３９ａ、３９ａ、・・・とは、図示しないスルーホールによって接続されている。
【００３３】
光学ピックアップ１６の第１の発光素子２３ａの図示しない電源供給端子が接続された配線パターン３９ａの一端部には、第１の電源側ショートランド３９ｂが形成されており、また、第１の発光素子２３ａの図示しない接地端子が接続された配線パターン３９ａの一端部には、接地側ショートランド３９ｃが形成されている（図１１参照）。
【００３４】
光学ピックアップ１６の第２の発光素子２７の図示しない電源供給端子が接続された配線パターン３９ａの一端部には、第２の電源側ショートランド３９ｄが形成されている（図１１参照）。第２の発光素子２７の図示しない接地端子は、第１の発光素子２３ａの接地端子が接続されたものと同じ配線パターン３９ａに接続され接地側ショートランド３９ｃが共用とされている。
【００３５】
第１の電源側ショートランド３９ｂと第２の電源側ショートランド３９ｄとは、接地側ショートランド３９ｃを挟んで反対側に形成されており、第１の電源側ショートランド３９ｂと接地側ショートランド３９ｃとが近接して位置され、第２の電源側ショートランド３９ｄと接地側ショートランド３９ｃとが近接して位置されている（図１１参照）。第１の電源側ショートランド３９ｂと接地側ショートランド３９ｃとの間隔及び第２の電源側ショートランド３９ｄと接地側ショートランド３９ｃとの間隔は、それぞれ０．２ｍｍ以上とされている。
【００３６】
第１の電源側ショートランド３９ｂと接地側ショートランド３９ｃと第２の電源側ショートランド３９ｄは、光学ピックアップユニット１３が上記ベース部材１２に取り付けられる前の状態においては、接続手段、例えば、半田４０によって電気的に接続されている（図１１参照）。尚、接続手段としては、半田４０以外にも、例えば、導電性材料によって形成された接続ピン等の接続部材を用いることもできる。
【００３７】
中継基板３９の上面及び下面には、それぞれ配線パターン３９ａ、３９ａ、・・・に接続された第１のコネクター４１と第２のコネクター４２が設けられている。上面に設けられた第１のコネクター４１は、中継基板３９のベースシャーシ１４から突出された部分に設けられており、第２の接続用基板４３を介して装置本体の駆動制御回路３７に接続されている（図４参照）。下面に設けられた第２のコネクター４２は、光学ピックアップ１６の移動経路に対応した位置に設けられており、フレキシブルプリント配線板３８の他端部３８ｂが接続されている（図７参照）。
【００３８】
光学ピックアップユニット１３がベース部材１２に取り付けられ装置本体側と電気的に接続されると、第１の電源側ショートランド３９ｂと接地側ショートランド３９ｃと第２の電源側ショートランド３９ｄとを接続する半田４０が半田ゴテ等によって取り外され、第１の電源側ショートランド３９ｂと接地側ショートランド３９ｃと第２の電源側ショートランド３９ｄとの電気的な接続が解除される。
【００３９】
前面パネル４に設けられたトレー動作用釦（操作釦）６が操作されると、ローディング機構８の動作によりディスクトレー９が開口４ａから引き出されディスクトレー９のディスク載置凹部９ｂにＤＶＤ１００又はＣＤ２００を載置可能な状態となる。ディスク載置凹部９ｂにＤＶＤ１００又はＣＤ２００を載置し、再度、トレー動作用釦６を操作すると、ディスクトレー９が外筐２内に引き込まれる。
【００４０】
次に、例えば、再生用釦（操作釦）６を操作すると、光学ピックアップユニット１３がベース部材１２の回動動作に伴って回動されてディスクテーブル１９が略上方へ移動され、該ディスクテーブル１９の中心部がＤＶＤ１００の中心孔１００ａ又はＣＤ２００の中心孔２００ａに挿入される。光学ピックアップユニット１３の回動により、ディスクテーブル１９と光学ピックアップ１３の２軸アクチュエーター２１はディスクトレー９の挿入孔９ａから稍上方へ突出される。
【００４１】
ディスクテーブル１９が略上方へ移動されていくことによりＤＶＤ１００又はＣＤ２００がディスク載置凹部９ｂから稍上方へ離間され、このときディスクテーブル１９に設けられたマグネットによってチャッキングプーリー１１の磁性金属板が吸着され、ＤＶＤ１００又はＣＤ２００がディスクテーブル１９とチャッキングプーリー１１とによって挟持されチャッキングされる。
【００４２】
ＤＶＤ１００又はＣＤ２００に対するチャッキングが完了すると、スピンドルモーター１５の駆動によるディスクテーブル１９の回転に伴ってＤＶＤ１００又はＣＤ２００が回転される。同時に、ガイド軸３２に案内されて光学ピックアップ１６がＤＶＤ１００又はＣＤ２００の内周側から外周側へ移動される。
【００４３】
このときＤＶＤ１００がディスクテーブル１９に装着されている場合には、集積光学素子２３の第１の発光素子２３ａから波長６５０ｎｍのレーザー光が出射される（図９参照）。出射されたレーザー光は、ホログラム素子２３ｃを透過され第１のビームスプリッター２４で反射されてコリメーターレンズ２５へ向かい、該コリメーターレンズ２５で平行光束とされて立ち上げミラー２６によって立ち上げられて対物レンズ２２に入射される。対物レンズ２２に入射されたレーザー光はＤＶＤ１００の記録面で集光され、戻り光として対物レンズ２２、立ち上げミラー２６、コリメーターレンズ２５、第１のビームスプリッター２４を通り、再びホログラム素子２３ｃに入射される。戻り光はホログラム素子２３ｃにおいて光路を変更され第１の受光素子２３ｂに入射されて検出され、図示しない信号処理回路によって信号処理されて情報信号の再生が為される。
【００４４】
一方、ＣＤ２００がディスクテーブル１９に装着されている場合には、第２の発光素子２７から波長７８０ｎｍのレーザー光が出射される（図１０参照）。出射されたレーザー光は、カップリングレンズ２８を透過され第２のビームスプリッター２９で反射され第１のビームスプリッター２４を透過されてコリメーターレンズ２５へ向かい、該コリメーターレンズ２５で平行光束とされて立ち上げミラー２６によって立ち上げられて対物レンズ２２に入射される。対物レンズ２２に入射されたレーザー光はＣＤ２００の記録面で集光され、戻り光として対物レンズ２２、立ち上げミラー２６、コリメーターレンズ２５、第１のビームスプリッター２４を通り第２のビームスプリッター２９を透過される。第２のビームスプリッター２９を透過された戻り光は調整レンズ３０で倍率調整されて第２の受光素子３１に入射されて検出され、図示しない信号処理回路によって信号処理されて情報信号の記録又は再生が為される。
【００４５】
停止用釦（操作釦）６が操作されると、ＤＶＤ１００又はＣＤ２００の回転が停止されると共に光学ピックアップ１６の駆動が停止されて再生動作が終了し、ベース部材１２とともに光学ピックアップユニット１３が先程とは反対方向へ回動されていく。
【００４６】
光学ピックアップユニット１３の回動によりＤＶＤ１００又はＣＤ２００に対するチャッキングが解除されてＤＶＤ１００又はＣＤ２００がディスク載置凹部９ｂに載置され、光学ピックアップユニット１３がディスクトレー９の下方に位置される。
【００４７】
再び、前面パネル４に設けられたトレー動作用釦６が操作されると、ディスクトレー９が開口４ａから引き出され、ディスク載置凹部９ｂに載置されているＤＶＤ１００又はＣＤ２００の取出が可能となる。ディスク載置凹部９ｂからＤＶＤ１００又はＣＤ２００を取り出し、再度、トレー動作用釦６を操作すると、ディスクトレー９が外筐２内に引き込まれる。
【００４８】
以上に記載した通り、ディスクドライブ装置１にあっては、第１の電源側ショートランド３９ｂと接地側ショートランド３９ｃ及び第２の電源側ショートランド３９ｄと接地側ショートランド３９ｃが近接するように形成し、第１の電源側ショートランド３９ｂと接地側ショートランド３９ｃと第２の電源側ショートランド３９ｄとを半田４０によって接続している。従って、光学ピックアップユニット１３を装置本体に組み付けたときの第１の電源側ショートランド３９ｂと接地側ショートランド３９ｃ間及び第２の電源側ショートランド３９ｄと接地側ショートランド３９ｃ間の接続を解除するための作業が、半田４０を取り外すだけの１度の作業で済むため、作業効率の向上を図ることができる。
【００４９】
尚、半田４０を１度の作業で取り外すためには、半田４０の直径を１０ｍｍ以下にすることが望ましい。
【００５０】
また、上記には、ベースシャーシ１４に中継基板３９を取り付け、該中継基板３９に第１の電源側ショートランド３９ｂと接地側ショートランド３９ｃと第２の電源側ショートランド３９ｄとを形成した場合を示したが、例えば、中継基板３９を設けることなく、フレキシブルプリント配線板３８を直接駆動制御回路３７に接続し、フレキシブルプリント配線板３８に第１の電源側ショートランド、接地側ショートランド及び第２の電源側ショートランドを形成してもよい。
【００５１】
図１２は、本発明の実施の形態において、中継基板３９に形成する第１の電源側ショートランド３９ｂ、接地側ショートランド３９ｃ及び第２の電源側ショートランド３９ｄの形成位置を示すものである。
【００５２】
中継基板３９には、第１の電源側ショートランド３９ｂ、接地側ショートランド３９ｃ及び第２の電源側ショートランド３９ｄが、周方向に離間した状態で近接して位置されている。
【００５３】
このように、第１の電源側ショートランド３９ｂ、接地側ショートランド３９ｃ及び第２の電源側ショートランド３９ｄを周方向に離間させた状態で形成すれば、これらの中心部に半田４０を施せばよく、半田４０の大きさを小さくすることが可能である。従って、半田４０の取外作業を１回の作業により確実に行うことができる。
【００５４】
また、３種類以上のディスク状記録媒体を用いることのできるディスクドライブ装置にあっては、各発光素子ごとの３つ以上の電源側ショートランドを形成することが必要とされるが、上記のように各電源側ショートランドと接地側ショートランドを周方向に離間させた状態で形成すれば、使用可能なディスク状記録媒体の数が増えた場合においても、半田４０の取外作業を１回の作業により行うことができる。
【００５５】
図１３は、４つの電源側ショートランド、即ち、第１の電源側ショートランド３９ｂ、第２の電源側ショートランド３９ｄ、第３の電源側ショートランド３９ｅ及び第４の電源側ショートランド３９ｆを必要とする場合の例を示している。
【００５７】
【発明の効果】
以上に記載したところから明らかなように、本発明光学ピックアップユニットは、異なる波長のレーザー光を出射する複数の発光素子を有する光学ピックアップと、該光学ピックアップを移動自在に支持するベースシャーシと、光学ピックアップの複数の発光素子に各別に電源を供給するための所定の配線パターンが形成された回路基板とを備えた光学ピックアップユニットであって、上記回路基板に、光学ピックアップの複数の発光素子の各電源供給端子が接続された配線パターンに各別に連続する複数の電源側ショートランドと、発光素子の接地端子が接続された配線パターンに連続するグランド側ショートランドとを設け、上記複数の電源側ショートランドと接地側ショートランドとを近接させ、且つ、周方向に離間させて配置したことを特徴とする。
【００５８】
従って、複数の電源側ショートランドと接地側ショートランド間の接続を解除するために、電源側ショートランドと接地側ショートランドを接続する接続手段、例えば、半田を１度の作業で取り外すことができるため、作業効率の向上を図ることができる。
【００５９】
また、電源側ショートランドと接地側ショートランドとを接続する接続手段の大きさを小さくすることが可能であり、取外作業を１回で確実に行うことができる。
【００６０】
また、電源側ショートランドの数が増えた場合にも対応することができるため、汎用性の向上を図ることができる。
【００６１】
また、本発明ディスクドライブ装置は、ディスク状記録媒体が装着されて回転されるディスクテーブルと、該ディスクテーブルに装着されたディスク状記録媒体の半径方向へ移動すると共に異なる波長のレーザー光をディスク状記録媒体へ向けて出射する複数の発光素子を有する光学ピックアップと、該光学ピックアップを移動自在に支持するベースシャーシと、光学ピックアップの複数の発光素子に各別に電源を供給するための所定の配線パターンが形成された回路基板とを備えたディスクドライブ装置であって、上記回路基板に、光学ピックアップの複数の発光素子の各電源供給端子が接続された配線パターンに各別に連続する複数の電源側ショートランドと、発光素子の接地端子が接続された配線パターンに連続するグランド側ショートランドとを設け、上記複数の電源側ショートランドと接地側ショートランドとを近接させ、且つ、周方向に離間させて配置したことを特徴とする。
【００６２】
従って、複数の電源側ショートランドと接地側ショートランド間の接続を解除するために、電源側ショートランドと接地側ショートランドを接続する接続手段、例えば、半田を１度の作業で取り外すことができるため、作業効率の向上を図ることができる。
【００６３】
また、電源側ショートランドと接地側ショートランドとを接続する接続手段の大きさを小さくすることが可能であり、取外作業を１回で確実に行うことができる。
【００６４】
また、電源側ショートランドの数が増えた場合にも対応することができるため、汎用性の向上を図ることができる。
【図面の簡単な説明】
【図１】  図２乃至図１３と共に本発明の基本的構成例と実施の形態を示すものであり、本図はディスクドライブ装置の概略斜視図である。
【図２】  各機構が配置されたメカフレームとディスクトレーとを示す概略分解斜視図である。
【図３】  カバー体を分離して内部構成を示すディスクドライブ装置の概略斜視図である。
【図４】  光学ピックアップユニットの拡大斜視図である。
【図５】  光学ピックアップユニットの拡大平面図である。
【図６】  光学ピックアップユニットの拡大側面図である。
【図７】  光学ピックアップユニットの拡大底面図である。
【図８】  ＤＶＤ及びＣＤの双方についての光学ピックアップに設けられた光学要素を示す拡大側面図である。
【図９】  ＤＶＤについての光学ピックアップに設けられた光学要素を示す拡大側面図である。
【図１０】  ＣＤについての光学ピックアップに設けられた光学要素を示す拡大側面図である。
【図１１】  図１２及び図１３と共に複数の電源側ショートランドと接地側ショートランドの位置関係を示すものであり、本図はショートランドが並列に位置されている状態を示す拡大平面図である。
【図１２】  図１３と共に本発明の実施の形態を示すものであり、ショートランドが周方向に離間して位置されている状態を示す拡大平面図である。
【図１３】  ショートランドが周方向に離間して位置されている状態をショートランドの数が増えた場合について示す拡大平面図である。
【符号の説明】
１…ディスクドライブ装置、１３…光学ピックアップユニット、１４…ベースシャーシ、１６…光学ピックアップ、１９…ディスクテーブル、２３ａ…第１の発光素子、２７…第２の発光素子、３９ａ…配線パターン、３９ｂ…第１の電源側ショートランド、３９ｃ…接地側ショートランド、３９ｄ…第２の電源側ショートランド、３９ｅ…第３の電源側ショートランド、３９ｆ…第４の電源側ショートランド、１００…ＤＶＤ（ディスク状記録媒体）、２００…ＣＤ（ディスク状記録媒体）
【図１】
0004452967.tif 000002
【図２】
0004452967.tif 000003
【図３】
0004452967.tif 000004
【図４】
0004452967.tif 000005
【図５】
0004452967.tif 000006
【図６】
0004452967.tif 000007
【図７】
0004452967.tif 000008
【図８】
0004452967.tif 000009
【図９】
0004452967.tif 000010
【図１０】
0004452967.tif 000011
【図１１】
0004452967.tif 000012
【図１２】
0004452967.tif 000013
【図１３】
0004452967.tif 000014